(57)【要約】  【課題】  建物の免震部材据付け養生方法とその養生用仮固定具を提供する。  【解決手段】  建物の下部基礎Ｂｃ上に設けた架台Ｋｃ上に下ベースプレート５を介して免震部材１を固定し、免震部材１の本体はエアークッションシート１３で被覆し、上ベースプレート６と下ベースプレート５の各角部にコーナー部材１４を、各辺部中央にアングル部材１５を、それぞれ取り外し可能に装着し、これらのコーナー部材１４とアングル部材１５を介して免震部材１の側面に所定長さ及び幅のボード１８を連結して箱状に囲んで構成した。この養生用仮固定は少なくとも建物の下層部Ｔｃが完成した後分解され、その養生用仮固定具は他の現場で再利用し、繰り返し使用できる。  【選択図】  図８
2005048524.tif 000002
【特許請求の範囲】
【請求項１】
建物の下部基礎上に構築した架台上に、免震部材を固定して少なくとも建物の下層部が完成するまでの間、当初の設定状態を維持させる免震部材据付け養生方法において、
前記架台に下ベースプレートを介し固定した免震部材の積層ゴムはエアークッションシートで被覆するとともに、建物の下層部に固定する上ベースプレートと前記下ベースプレートの、各角部にコーナー部材を、各辺部中央にアングル部材を、それぞれ取り外し可能に装着し、これらのコーナー部材とアングル部材を介して所定長さ及び幅のボードを免震部材の側面に連結して箱状に囲むことを特徴とする免震部材据付け養生方法。
【請求項２】
建物の下部基礎上に構築した架台上に、免震部材を固定して少なくとも建物の下層部が完成するまでの間、当初の設定状態を維持させる免震部材据付け養生方法において、
前記架台に下ベースプレートを介し固定した免震部材の復元ゴムはエアークッションシートで被覆するとともに、函体で囲み、かつ建物の下層部に固定する上ベースプレートと前記下ベースプレートの、いずれか一方の各角部にコーナー部材を、他方の各辺部中央にアングル部材を、それぞれ取り外し可能に装着し、前記免震部材の各側面においてこれらコーナー部材とアングル部材を、一対の連結部材でＶ字形又は逆Ｖ字形に取り外し可能に連結し、前記上ベースプレートと下ベースプレートを回転不能に連結することを特徴とする免震部材据付け養生方法。
【請求項３】
前記請求項１又は２に記載の免震部材据付け及び養生方法の実施に直接使用する器具であって、前記上下ベースプレートの角部に取り外し可能に装着するコーナー部材と、前記上下ベースプレートの辺部中央に取り外し可能に装着するアングル部材と、及び、前記コーナー部材とアングル部材とを取り外し可能に結ぶボード又は連結部材とからなることを特徴とする繰り返し使用可能な養生用仮固定具。
【発明の詳細な説明】
【技術分野】
【０００１】
この発明は、建物の下部基礎上に据付けた免震部材を、損傷やねじれ等から保護する据付け養生方法、及び、養生用仮固定具に関するものである。
【背景技術】
【０００２】
建物の耐震設計構造に、免震部材を用いることが普及し、建物とその下部基礎との間に免震部材を介在させることにより、地震に際する振動を、建物に直接伝えないようにしている。
【０００３】
この免震部材には、特許文献１にも開示されているように、種々のものが提供されているが、草創期の積層ゴム、鉛ダンパー及び鋼棒ダンパーを用いたものから、近時はこれらに、すべり支承や転がり支承を組み合わせたものが、ここ数年来増えている。
【特許文献１】特開平１１−１２５３０６号
【発明の開示】
【発明が解決しようとする課題】
【０００４】
上記の従来技術においては、据付けた免震部材上に建物を建築する工事に際し、工具や資材の一部等が当たって免震部材が損傷し又はねじれるようなことが生じれば、設計した耐震機能の減殺が生じて、建物寿命や安全性に大きい欠陥をもたらすのである。
【０００５】
したがって、免震部材を下部基礎上の架台に据付ける工事を行った後、その免震部材の上で建物を建築施工する際に、免震部材が損傷し、又は、ねじれることの無いように保護すること、すなわち、据付け養生が一般的に行われている。
【０００６】
しかしながら、その方法や手段には未だ確立され普及しているようなものは無く、免震施工業者が独自の方法や手段で行っているのが現状であり、その多くはその場だけの使い捨て方式或いは埋め殺し方式ともいうべきものであった。
【０００７】
そこでこの発明は、架台上に据え付けた免震部材が建築工事に際して損傷やねじれを生じることが無いように、保護して養生するための方法と、その方法に繰り返し使用できる養生用仮固定具を提供しようというものである。
【課題を解決するための手段】
【０００８】
本発明は、請求項１によれば、建物の下部基礎上に構築した架台上に、免震部材を固定して少なくとも建物の下層部が完成するまでの間、当初の設定状態を維持させる免震部材据付け養生方法において、前記架台に下ベースプレートを介し固定した免震部材の積層ゴムはエアークッションシートで被覆するとともに、建物の下層部に固定する上ベースプレートと前記下ベースプレートの、各角部にコーナー部材を、各辺部中央にアングル部材を、それぞれ取り外し可能に装着し、これらのコーナー部材とアングル部材を介して所定長さ及び幅のボードを免震部材の側面に連結して箱状に囲むことを特徴とする免震部材据付け養生方法とした。
【０００９】
また、請求項２によれば、建物の下部基礎上に構築した架台上に、免震部材を固定して少なくとも建物の下層部が完成するまでの間、当初の設定状態を維持させる免震部材据付け養生方法において、前記架台に下ベースプレートを介し固定した免震部材の復元ゴムはエアークッションシートで被覆するとともに、函体で囲み、かつ建物の下層部に固定する上ベースプレートと前記下ベースプレートの、いずれか一方の各角部にコーナー部材を、他方の各辺部中央にアングル部材を、それぞれ取り外し可能に装着し、前記免震部材の各側面においてこれらコーナー部材とアングル部材を、一対の連結部材でＶ字形又は逆Ｖ字形に取り外し可能に連結し、前記上ベースプレートと下ベースプレートを回転不能に連結することを特徴とする免震部材据付け養生方法とした。
【００１０】
さらに、請求項３によれば、前記請求項１又は２に記載の免震部材据付け養生方法の実施に直接使用する器具であって、前記上下ベースプレートの角部に取り外し可能に装着するコーナー部材と、前記上下ベースプレートの辺部中央に取り外し可能に装着するアングル部材と、及び、前記コーナー部材とアングル部材とを取り外し可能に結ぶボード又は連結部材とからなることを特徴とする繰り返し使用可能な養生用仮固定具とした。
【発明の効果】
【００１１】
本発明によれば、建物の下部基礎上の架台上に免震部材が据付けられると、積層ゴム又は復元ゴムがエアークッションシートにて損傷等から保護されるとともに、上下ベースプレート間で免震部材の側面をボードにて囲むことにより、免震部材が外部からの悪影響を受けることがなく、また、連結部材で上下ベースプレートを回転不能に連結するから免震部材にねじれを生じさせるような事態が生じない、という効果が得られる。
【発明を実施するための最良の形態】
【００１２】
本発明の免震部材据付け養生方法は、前記架台に下ベースプレートを介し固定した免震部材の積層ゴムはエアークッションシートで被覆するとともに、建物の下層部に固定する上ベースプレートと前記下ベースプレートの、各角部にコーナー部材を、各辺部中央にアングル部材を、それぞれ取り外し可能に装着し、これらのコーナー部材とアングル部材を介して所定長さ及び幅のボードを免震部材の側面に連結して箱状に囲むことを備えて構成される。この詳細については、実施例１及び実施例２で説明する。
【００１３】
本発明の他の、免震部材据付け及び養生方法は、前記架台に下ベースプレートを介し固定した免震部材の復元ゴムはエアークッションシートで被覆するとともに、函体で囲み、かつ建物の下層部に固定する上ベースプレートと前記下ベースプレートの、いずれか一方の各角部にコーナー部材を、他方の各辺部中央にアングル部材を、それぞれ取り外し可能に装着し、前記免震部材の各側面においてこれらコーナー部材とアングル部材を、一対の連結部材でＶ字形又は逆Ｖ字形に取り外し可能に連結し、前記上ベースプレートと下ベースプレートを回転不能に連結することを備えて構成される。この詳細については、実施例３で説明する。
【００１４】
本発明の養生用仮固定具は、上下ベースプレートの角部に取り外し可能に装着するコーナー部材と、上下ベースプレートの辺部中央に取り外し可能に装着するアングル部材と、及び、前記コーナー部材とアングル部材とを取り外し可能に結ぶボード又は連結部材とを備えて構成される。この詳細については、前記実施例１〜３でそれぞれ付帯的に説明する。
【実施例１】
【００１５】
図１及び図２は、下部基礎上Ｂｃ上に構築した架台Ｋｃ上に、免震部材１を固定した状態を示すもので、積層ゴム２が一対の端盤３，４に挟まれて構成され、積層ゴム２の両端部は端盤３，４に加硫接着してある。一方の端盤３は架台Ｋｃと下ベースプレート５を介在してボルト７で連結され、他方の端盤４は建物の下層部Ｔｃと上ベースプレート６を介在してボルト８で連結される。
【００１６】
ベースプレート５，６と端盤３，４は、ボルト７，８を挿通するための透孔９を円形状に穿設した略正方形の板材からなり、円形の中心部が積層ゴム２の中心である。このベースプレートの四つの角部と辺部中央には、それぞれ仮固定穴１０，１１が穿設されている。角部に一対で穿設された仮固定穴１０，１０に接して吊り下げ用穴１２が穿設されている。
【００１７】
かくして架台Ｋｃに固定された免震部材１が、その上部に構築する建物等の施工工事に伴って損傷することがないように、図３及び図４に示すように、積層ゴム２にエアークッションシート１３を巻き付けて保護する。エアークッションシート１３は多数の空気袋を形成した合成樹脂シート等の梱包用材料である。
【００１８】
そして、図５及び図６に示すように、ベースプレート５，６の周縁部にコーナー部材１４とアングル部材１５からなるブラケットを装着する。コーナー部材１４は、図９に示すように、ベースプレート５，６の角部の仮固定穴１０を介して適宜のボルトナットにて取り外し可能に装着するための透孔１６，１６を有する。アングル部材１５は、図１０に示すように、ベースプレート５，６の辺部中央の仮固定穴１１を介して適宜のボルトにて取り外し可能に装着するための透孔にナット１７を溶接固定してある。
【００１９】
そこで、図７及び図８に示すように、ベースプレート５，６の４つの側面から各ブラケットに当接するボード１８を配置し、そのボード１８をブラケットに連結する。ボード１８は、図１１に示すように、ベースプレート５，６間の所定幅及び長さを有するベニア板等の資材からなり、角部及び辺部中央には透孔１９を穿設してある。この連結はネジ又はボルトナットで必ず取り外し可能にすることが必要である。
【００２０】
かくして、積層ゴム２はエアークッションシート１３にて保護されると共に、箱状に形成されたボード１８によって保護され、工具や資材が当たるなどの側方からの外的運動が免震部材１に加わるのを阻止することができる。しかして、建物の少なくとも下層部Ｔｃが完成して、積層ゴム２に側方からの外的運動を加わるおそれがなくなった段階で、ボード１８、コーナー部材１４及びアングル部材１５を取り外し、これらは他の現場において再利用でき、繰り返し使用できる。
【実施例２】
【００２１】
図１２〜図１９は、本発明における実施例１と実質的に同一の内容を示すものであるが、この実施例２における免震部材１ａは一対の端盤３ａ，４ａ間に復元ゴム２ａを挟持した免震構造を用いたもので、実施例１における積層ゴム２の場合に比べれば、復元ゴム２ａの径が小さく、かつ、全体高さが高くなっているので、ベースプレート５ａ，６ａも小型化している。
【００２２】
エアークッションシート１３ａは前例同様に復元ゴム２ａに巻き付けられる。ブラケットとしてのコーナー部材１４ａは実施例１のコーナー部材１４と構造的には同じであるがサイズが異なる。なお、ベースプレート５ａ，６ａが小型化したので実施例１のアングル部材１５は用いない。コーナー部材１４ａを装着するための透孔１０ａがベースプレート５ａ，６ａの角部に穿設されており、また、その近傍に吊り下げ用穴１２ａが穿設されている。ボード１８ａは実施例１のものと実質的に同じであるがサイズが異なり、かつ、実施例１のボード１８の辺部中央の透孔１９に相当するものがない。
【００２３】
かくして、積層ゴム２ａはエアークッションシート１３ａにて保護されると共に、箱状に形成されたボード１８ａによって保護され、工具や資材が当たるなどの側方からの外的運動が加わるのを阻止することができる。しかして、建物の少なくとも下層部Ｔｃが完成して、積層ゴム２ａに側方からの外的運動を与えるおそれがなくなった段階で、ボード１８ａ、コーナー部材１４ａを取り外し、これらは他の現場において再利用でき、繰り返し使用できる。
【実施例３】
【００２４】
図２０〜図２９は、本発明における実施例１，２と実質的に同一の内容を示すものであるが、この実施例３における免震部材１ｂは、端盤３ｂに結合した積層ゴム２ｂを下ベースプレート５ｂと上ベースプレート６ｂで挟持した構造であり、この積層ゴム２ｂにエアークッションシート１３ｂを巻き付けると共に、その周囲を函体２０で囲み、かつ、上ベースプレート６ｂの各角部にコーナー部材１４ｂを、また、下ベースプレート５ｂの各辺部中央にアングル部材１５ｂを、それぞれ取り外し可能に装着し、免震部材１ｂの各側面でコーナー部材１４ｂとアングル部材１５ｂを一対の連結部材２１，２１でＶ字形に連結したものを示す。
【００２５】
なお、コーナー部材１４ｂを上ベースプレート６ｂの各辺部中央に、また、アングル部材１５ｂを下ベースプレート５ｂの各角部に変えて取り外し可能に装着し、連結部材２１，２１で逆Ｖ字形に連結することとしてもよい。
【００２６】
連結部材２１は、図３０に示すように、所定長さの細長板の一端部に長穴２２を、他端部側に一定間隔で複数の透孔２３を穿設してなり、長穴２２をコーナー部材１４に、透孔２３をアングル部材１５に連結する。複数の透孔２３はコーナー部材１４とアングル部材１５間の直線距離の変化、すなわち、ベースプレート５，６のサイズや函体２０の高さに対応し得るように、かつ、２本を一本に連結して調整できるようにしたものである。
【００２７】
上下のブラケットを一対の連結部材２１，２１でＶ字形に連結したので、ベースプレート５ｂ，６ｂはねじれを生じる事なく保持され、かつ、函体２０とエアークッションシート１３ｂで前例同様に、側方からの外的運動を積層ゴム２ｂに与えるおそれを解消できる。
【００２８】
かくして、積層ゴム２ｂはエアークッションシート１３ｂにて保護されると共に、函体２０によって保護され、工具や資材が当たるなどの側方からの外的運動が侵入するのを阻止することができる。しかして、建物の少なくとも下層部Ｔｃが完成して、積層ゴム２ｂに側方からの外的運動を与えるおそれがなくなった段階で、連結部材２１、コーナー部材１４ｂ及びアングル部材１５ｂ、函体２０、エアークッションシート１３ｂを取り外し、これらは他の現場において再利用し繰り返し使用できる。
【００２９】
以上の実施例１〜３において、架台Ｋｃの構築は従来と同様、若しくは、本願出願人が同時に特許出願した別途の「免震部材据付け及び養生方法並びにその養生用仮固定具」に開示したものと同じとしてもよい。すなわち、下部基礎Ｂｃの完成前の捨てコンクリートに、アンカーフレームの枠体を高さ及び水平方向の調整をして固定した後配筋を行い、枠体内とともにコンクリート打設をして下部基礎を養生した後、下部基礎から突出している枠体の上部に捨てベースプレートを固定するとともに、枠体を型枠で囲んでその型枠及び捨てベースプレート下面にコンクリート打設をして架台を構築することとしてもよいものである。
【図面の簡単な説明】
【００３０】
【図１】免震部材据付け状態を示す実施例１の正面図。
【図２】免震部材据付け状態を示す実施例１の平面図。
【図３】免震部材の積層ゴムにエアークッションシートを巻き付けた状態を示す実施例１の正面図。
【図４】免震部材の積層ゴムにエアークッションシートを巻き付けた状態を示す実施例１の断面平面図。
【図５】免震部材を固定するベースプレートにブラケットを装着した状態を示す実施例１の正面図。
【図６】免震部材を固定するベースプレートにブラケットを装着した状態を示す実施例１の断面平面図。
【図７】免震部材の養生状態を示す実施例１の正面図。
【図８】免震部材の養生状態を示す実施例１の断面平面図。
【図９】免震部材のベースプレートの角部に装着するブラケットとしてのコーナー部材を示す斜視図。
【図１０】免震部材のベースプレートの辺部中央に装着するブラケットとしてのアングル部材を示す斜視図。
【図１１】ボードの正面図。
【図１２】免震部材据付け状態を示す実施例２の正面図。
【図１３】免震部材据付け状態を示す実施例２の平面図。
【図１４】免震部材の積層ゴムにエアークッションシートを巻き付けた状態を示す実施例２の正面図。
【図１５】免震部材の積層ゴムにエアークッションシートを巻き付けた状態を示す実施例２の断面平面図。
【図１６】免震部材を固定するベースプレートにブラケットを装着した状態を示す実施例２の正面図。
【図１７】免震部材を固定するベースプレートにブラケットを装着した状態を示す実施例２の断面平面図。
【図１８】免震部材の養生状態を示す実施例２の正面図。
【図１９】免震部材の養生状態を示す実施例２の断面平面図。
【図２０】免震部材据付け状態を示す実施例３の正面図。
【図２１】免震部材据付け状態を示す実施例３の平面図。
【図２２】免震部材を函体で囲んだ状態を示す実施例３の正面図。
【図２３】免震部材の函体で囲み、かつ、復元ゴムにエアークッションシートを巻き付けた状態を示す実施例３の断面平面図。
【図２４】免震部材のベースプレートにブラケットを装着した状態を示す実施例３の正面図。
【図２５】免震部材を固定するベースプレートにブラケットを装着した状態を示す実施例３の平面図。
【図２６】免震部材を固定するベースプレートにブラケットを装着した状態を示す実施例３の断面平面図。
【図２７】免震部材の養生状態を示す実施例３の正面図。
【図２８】免震部材の養生状態を示す実施例３の平面図。
【図２９】免震部材の養生状態を示す実施例３の断面平面図。
【図３０】実施例３における連結部材を示す正面図。
【符号の説明】
【００３１】
Ｂｃ…下部基礎
Ｋｃ…架台
Ｔｃ…建物の下層部
１，１ａ，１ｂ…免震部材
２，２ｂ…積層ゴム
２ａ…復元ゴム
５，５ａ，５ｂ…下ベースプレート
６，６ａ，６ｂ…上ベースプレート
１３，１３ａ，１３ｂ…エアークッションシート
１４，１４ａ，１４ｂ…コーナー部材
１５，１５ａ，１５ｂ…アングル部材
１８，１８ａ，１８ｂ…ボード
２０…函体
２１…連結部材
【図１】
2005048524.tif 000003
【図２】
2005048524.tif 000004
【図３】
2005048524.tif 000005
【図４】
2005048524.tif 000006
【図５】
2005048524.tif 000007
【図６】
2005048524.tif 000008
【図７】
2005048524.tif 000009
【図８】
2005048524.tif 000010
【図９】
2005048524.tif 000011
【図１０】
2005048524.tif 000012
【図１１】
2005048524.tif 000013
【図１２】
2005048524.tif 000014
【図１３】
2005048524.tif 000015
【図１４】
2005048524.tif 000016
【図１５】
2005048524.tif 000017
【図１６】
2005048524.tif 000018
【図１７】
2005048524.tif 000019
【図１８】
2005048524.tif 000020
【図１９】
2005048524.tif 000021
【図２０】
2005048524.tif 000022
【図２１】
2005048524.tif 000023
【図２２】
2005048524.tif 000024
【図２３】
2005048524.tif 000025
【図２４】
2005048524.tif 000026
【図２５】
2005048524.tif 000027
【図２６】
2005048524.tif 000028
【図２７】
2005048524.tif 000029
【図２８】
2005048524.tif 000030
【図２９】
2005048524.tif 000031
【図３０】
2005048524.tif 000032